(57)【特許請求の範囲】
【請求項１】
被係合部を含む本体部と、
一端および他端を有し、前記一端側にて前記被係合部に係合している係合部と、前記他端側にて前記係合部と接続されており、前記係合部よりも外側に張り出している頭部とを含む固定部材と、
前記本体部と前記固定部材との間に挟まれており、前記係合部を通す第１貫通孔、および前記第１貫通孔の外側において前記頭部と重なる領域内に第２貫通孔が形成されている台座と、
前記第２貫通孔内に充填されており、かつ前記本体部および前記頭部にそれぞれ接続されているシール材とを備え、
前記台座と前記固定部材とは、前記第１貫通孔の全周を取り囲む前記シール材を介在して接続されている、リモコン装置。
【請求項２】
前記第２貫通孔は、前記第１貫通孔の外周に沿って互いに間隔を隔てて複数形成された貫通孔部を有している、請求項１に記載のリモコン装置。
【請求項３】
前記台座は、前記第２貫通孔を取り囲むように配置され、かつ、前記本体部側に凸状に形成されているリブ部を含み、
前記リブ部は前記本体部と接触している、請求項１または請求項２に記載のリモコン装置。
【請求項４】
前記本体部は、前記被係合部を取り囲むように前記台座側に凸状に形成されている凸部を含み、
前記凸部は、前記台座の前記第１貫通孔と前記第２貫通孔との間に位置する部分と接触している、請求項３に記載のリモコン装置。
【請求項５】
前記固定部材が前記第１貫通孔の外周に沿った方向に回転されることにより、前記シール材が前記第１貫通孔の全周を取り囲むように塗り広げられている、請求項１〜請求項４のいずれか１項に記載のリモコン装置。
【発明の詳細な説明】
【技術分野】
【０００１】
本発明はリモコン装置およびその製造方法に関するものである。
【背景技術】
【０００２】
従来、給湯器などの運転状態を遠隔操作するために用いられるリモコン装置は壁面に設置されている。リモコン装置には給湯器などと電気的に接続するための配線（電装線）が接続されている。壁面に配線を通すための穴を設けることが可能な場合には、リモコン装置（リモコン本体部）の背面に接続された配線は当該穴を通って壁の外部まで配設され、リモコン装置は当該穴を塞ぐように壁面に設置される。
【０００３】
一方で、リモコン装置の設置場所によっては、壁面に配線を通すための穴を設けることができない場合も存在する。このような場合、リモコン本体部の背面に接続された配線は壁面に沿って外部と接続されている部分（たとえばドアなど）を通って外部まで配設されている。このとき、上記配線を壁面に沿って配設可能であり、かつリモコン本体部を壁面に固定可能に設けられている台座を備えるリモコン装置が採用されている。一般に、リモコン本体部と台座とは、ボルトがこれらに対して緊締されることにより固定されている。
【０００４】
また、リモコン装置では、本体部の内部へ水分が浸入すると、本体部の内部に収容されている基板上に形成されている電気回路が短絡して故障することがある。そのため、リモコン装置には防水性能が求められている。そのため、台座を備える従来のリモコン装置を製造する際には、少なくともリモコン本体部の背面と台座の正面との間および台座の背面とボルトとの間において、配線が引き回される部分を囲むように防水を図るためのシール材を塗布する必要があった。
【０００５】
また、特開平６−２２０９３９号公報には、単位枠材と複合パネルなどの外装板状体とのシール性を高める方法として、単位枠材に形成された保持溝部内面および板状体の縁部のうち少なくとも一方に予め流動性を有する充填シール材を塗布しておき、各単位枠材相互を連結部において連結するとともに各単位枠材を板状体側に圧着する方法が開示されている。
【先行技術文献】
【特許文献】
【０００６】
【特許文献１】特開平６−２２０９３９号公報
【発明の概要】
【発明が解決しようとする課題】
【０００７】
しかしながら、従来のリモコン装置は、上述のように少なくとも２箇所（リモコン本体部の背面と台座の正面との間、および台座の背面とボルトとの間）にシール材を塗布する必要があったため、その製造作業が容易でないという問題があった。
【０００８】
本発明は上記のような課題を解決するためになされたものである。本発明の主たる目的は、容易に製造可能なリモコン装置およびその製造方法を提供することにある。
【課題を解決するための手段】
【０００９】
本発明に係るリモコン装置は、被係合部を含む本体部と、一端および他端を有し、一端側にて被係合部に係合している係合部と、他端側にて係合部と接続されており、係合部よりも外側に張り出している頭部とを含む固定部材と、本体部と固定部材との間に挟まれており、係合部を通す第１貫通孔、および第１貫通孔の外側において頭部と重なる領域内に第２貫通孔が形成されている台座と、第２貫通孔内に充填されており、かつ本体部および頭部にそれぞれ接続されているシール材とを備える。台座と固定部材とは、第１貫通孔の全周を取り囲むシール材を介在して接続されている。これにより、第２貫通孔を経て台座と固定部材との間に介在して接続しているシール材は、本体部と台座との間に塗布されたシール材の一部であって第２貫通孔内を流通して台座と固定部材との間に供給されたものとすることができる。その結果、上記リモコン装置は、本体部と台座との間および台座と固定部材との間において高い防水性能を発現することができ、台座と固定部材との間にもシール材を塗布する必要があった従来のリモコン装置と比べて、容易に製造され得る。
【００１０】
上記リモコン装置において、第２貫通孔は、第１貫通孔の外周に沿って互いに間隔を隔てて複数形成された貫通孔部を有している。これにより、リモコン装置を製造する際に、台座上において第２貫通孔から固定部材の頭部と重なる領域内に溢れ出されたシール材は、固定部材が回転されることにより第１貫通孔の外周に沿った方向においてムラなく容易に塗り広げられる。その結果、上記リモコン装置は、従来のリモコン装置と比べて容易に製造され得る。
【００１１】
上記リモコン装置において、台座は、第２貫通孔を取り囲むように配置され、かつ、本体部側に凸状に形成されているリブ部を含む。上記リブ部は本体部と接触している。これにより、リモコン装置の製造方法において本体部上に塗布されたシール材は、本体部と接触しているリブ部により本体部上に必要以上に塗り広げられることが防止され、本体部と台座との間から第２貫通孔内に供給されやすくなる。その結果、上記リモコン装置は、従来のリモコン装置と比べて容易に製造され得る。
【００１２】
上記リモコン装置において、本体部は、被係合部を取り囲むように台座側に凸状に形成されている凸部を含む。凸部は、台座の第１貫通孔と第２貫通孔との間に位置する部分と接触している。これにより、本体部上に塗布されたシール材は、台座と接触している凸部により、第１貫通孔内に供給されることが防止される。その結果、シール材は、本体部と台座との間から第２貫通孔内に供給されやすくなり、本体部と台座との間から第２貫通孔内に供給されやすくなる。その結果、上記リモコン装置は、従来のリモコン装置と比べて容易に製造され得る。
【００１３】
上記リモコン装置において、固定部材が第１貫通孔の外周に沿った方向に回転されることにより、シール材が第１貫通孔の全周を取り囲むように塗り広げられている。これにより、固定部材により本体部と台座とが固定されると同時に、シール材が第１貫通孔の外周を囲むように塗り広げられる。その結果、リモコン装置は容易に製造され得る。
【００１４】
上記リモコン装置において、被係合部を含む本体部と、一端側にて被係合部に係合可能に設けられている係合部と、係合部の他端側にて係合部と接続されており係合部よりも外側に張り出している頭部とを含む固定部材と、係合部を挿入可能な第１貫通孔、および第１貫通孔に係合部を挿入したときに頭部と重なる領域内に第２貫通孔が形成されている台座とを準備する工程と、本体部の被係合部の周囲にシール材を塗布し、被係合部および第１貫通孔に係合部を挿入して第１貫通孔の外周に沿った方向に固定部材を回転し、本体部と台座とを固定部材により固定する工程とを備える。上記固定する工程において、シール材は第２貫通孔内を通って台座と固定部材との間に供給される。これにより、本体部の被係合部の周囲に塗布されたシール材は、本体部と台座とが固定部材により固定されることにより、本体部と台座との間に塗り広がるとともに、第２貫通孔内を流通して台座上において固定部材の頭部と重なる領域内に溢れ出される。さらに、台座上に溢れ出たシール材は、固定部材が回転されることにより第１貫通孔の第１貫通孔の全周を取り囲むように塗り広げられ、台座と固定部材とを接続する。その結果、上記リモコン装置の製造方法は、台座と固定部材との間にもシール材を塗布する必要があった従来のリモコン装置の製造方法と比べて、本体部と台座との間および台座と固定部材との間において高い防水性能を有するリモコン装置を容易に製造することができる。
【発明の効果】
【００１５】
本発明によれば、容易に製造可能なリモコン装置およびその製造方法を提供することができる。
【図面の簡単な説明】
【００１６】
【図１】本実施の形態に係るリモコン装置の斜視図である。
【図２】本実施の形態に係るリモコン装置を構成する本体部の背面図である。
【図３】本実施の形態に係るリモコン装置を構成する台座の正面図である。
【図４】本実施の形態に係るリモコン装置を構成する台座の背面図である。
【図５】本実施の形態に係るリモコン装置の分解斜視図である。
【図６】本実施の形態に係るリモコン装置における台座と固定部材とがシール材を介在して接続されている状態を示す背面図である。
【図７】図６中の線分ＶＩＩ−ＶＩＩから見た断面図である。
【図８】本実施の形態に係るリモコン装置の製造方法において、本体部と台座とを固定部材により固定する工程を説明するための断面図である。
【図９】本実施の形態に係るリモコン装置の製造方法において、本体部と台座とを固定部材により固定する工程を説明するための背面図である。
【図１０】本実施の形態に係るリモコン装置の背面図である。
【発明を実施するための形態】
【００１７】
以下、図面を参照して、本発明の実施の形態について説明する。なお、以下の図面において同一または相当する部分には同一の参照番号を付し、その説明は繰返さない。
【００１８】
図１〜図１０を参照して本実施の形態に係るリモコン装置１００について説明する。リモコン装置１００は壁に固定して使用されるものである。リモコン装置１００は、たとえば給湯器（図示略）を操作するためのものである。リモコン装置１００は、給湯器の制御装置（図示略）と配線（図示略）で接続された状態で使用される。つまり、このリモコン装置１００は配線と電気的に接続可能であり、配線によって給湯器と電気的に接続可能である。
【００１９】
リモコン装置１００は、リモコン本体部（本体部）１、台座２、固定部材３、防水蓋４、シール材５、および配線を主に備える。
【００２０】
図１および図２を参照して、本体部１は、第１の主面１Ａおよび第１の主面１Ａと反対側に位置する第２の主面１Ｂとを有する。本体部１の第１の主面１Ａ上には操作パネルが設けられている。操作パネルには、たとえば複数のスイッチと表示部とが配置されている。本体部１の第１の主面１Ａおよび第２の主面１Ｂは、ケース１７により構成されている。ケース１７に囲まれている本体部１の内部には、電気・電子部品（図示略）が実装された基板１８（図７参照）が配置されている。当該基板１８により構成されている回路は配線と接続されている。
【００２１】
本体部１は、後述する固定部材３の係合部３１と係合可能に設けられている被係合部１１を含んでいる。被係合部１１は、たとえば第２の主面１Ｂに対して第１の主面１Ａ側に凹状に形成されている。被係合部１１は、たとえば固定部材３と螺合可能に設けられている。被係合部１１の内部には固定部材３との螺合面が形成されており、螺合面よりも内側には本体部１の内部と外部とを接続するための孔１５（図７参照）が形成されている。上記配線は孔１５を通って本体部１の外部に引き回されている。孔１５の孔径は上記配線の線径と同等に設けられていてもよい。孔１５の孔径が上記配線の線径よりも大きく設けられている場合には、たとえば図２に示されるように、被係合部１１の内部に形成されている孔１５は、上記配線の線径と同等の孔径を有する貫通孔１４が形成されている栓１３により塞がれているのが好ましい。この場合、上記配線は、貫通孔１４を通って本体部１の外部に引き回されている。また、図２に示されるように、被係合部１１の内部において、孔１５以外の領域に貫通孔１４が形成されていてもよい。被係合部１１の平面形状は、任意の形状であればよいが、たとえば円形状である。被係合部１１は、たとえば第２の主面１Ｂの中央部に１つ形成されている。
【００２２】
なお、被係合部１１は、第２の主面１Ｂ上において任意の場所に任意の数形成されていてもよい。また、被係合部１１は、後述する固定部材３と係合可能な限りにおいて、任意の構成を備えていればよい。
【００２３】
本体部１は、台座２側に凸状に形成されている凸部１２を含む。凸部１２は、第２の主面１Ｂ上において被係合部１１の全周を取り囲むように形成されている。凸部１２はたとえば被係合部１１の外周に沿って形成されている。図２に示されるように、被係合部１１の第２の主面１Ｂ上における平面形状が円形状である場合、凸部１２の平面形状はたとえば被係合部１１と同心の円形状である。図７を参照して、凸部１２は、後述する台座２において第１貫通孔２１と第２貫通孔２２とを隔てている部分と接触している。
【００２４】
台座２は、本体部１と固定部材３との間に挟まれている。台座２は、第３の主面２Ａおよび第３の主面２Ａと反対側に位置する第４の主面２Ｂとを有する。台座２は、第３の主面２Ａが本体部１の第２の主面１Ｂと対向した状態で本体部１と接続されている。台座２は、第４の主面２Ｂが壁面と対向した状態で壁に固定可能に設けられている。
【００２５】
図３、図４、図６および図７に示されるように、台座２には第１貫通孔２１と第２貫通孔２２が形成されている。第１貫通孔２１および第２貫通孔２２は、台座２において本体部１と接続される領域と固定部材３と接続される領域とを繋ぐように形成されており、たとえば第３の主面２Ａから第４の主面２Ｂまで達するように形成されている。
【００２６】
第１貫通孔２１は、第３の主面２Ａに垂直な方向において本体部１の被係合部１１と重なるように形成されている。第１貫通孔２１は、固定部材３の係合部３１を通すことができるように形成されている。第１貫通孔２１の平面形状は、任意の形状であればよいが、たとえば円形状である。第１貫通孔２１の孔径は、被係合部１１の内径以上であり、後述する固定部材３の係合部３１の外径以上である。
【００２７】
第２貫通孔２２は、第４の主面２Ｂを平面視した（第４の主面２Ｂに対して垂直な方向から見た）ときに、第１貫通孔２１の外側において固定部材３の頭部３２と重なる領域内に形成されている。第２貫通孔２２は、第１貫通孔２１の径方向において第１貫通孔２１と間隔を隔てて形成されている。第２貫通孔２２は、第１貫通孔２１の外周に沿って形成されているのが好ましい。第２貫通孔２２は、互いに間隔を隔てて複数形成された貫通孔部２２を有しているのが好ましい。複数の貫通孔部２２は、互いに同一形状であって、かつ互いに一定の間隔を隔てて形成されているのがより好ましい。複数の貫通孔部２２は、第１貫通孔２１と同心円の円周に沿って形成されており、平面形状が円弧状であるのが好ましい。言い換えると、複数の貫通孔部２２は、上記径方向において第１貫通孔２１と等間隔に形成されているのが好ましい。
【００２８】
なお、第１貫通孔２１は、第３の主面２Ａおよび第４の主面２Ｂ上において任意の場所に任意の数形成されていてもよい。この場合、複数の第１貫通孔２１の各々が上述した第１貫通孔２１の構成を備えていればよい。
【００２９】
台座２は、第２貫通孔２２の周囲において本体部１側に凸状に形成されているリブ部２３を含んでいる。リブ部２３は、第１貫通孔２１および第２貫通孔２２（複数の貫通孔部２２）を取り囲むように形成されている。リブ部２３の第３の主面２Ａ上における平面形状は、たとえば第１貫通孔２１と同心の円形状である。図７を参照して、リブ部２３は本体部１と接触している。本体部１においてリブ部２３と接触している部分は、凸部１２の全周を取り囲むように形成されている。言い換えると、リブ部２３は台座２において凸部１２と接触している部分の全周を取り囲むように形成されている。
【００３０】
図５および図７に示されるように、固定部材３は、係合部３１と係合部３１と接続されている頭部３２とを含む。係合部３１は一端および他端を有している。係合部３１は上記一端側にて本体部１の被係合部１１と係合している。係合部３１は、たとえば被係合部１１と螺合可能に設けられている。頭部３２は上記他端側にて係合部３１と接続されている。頭部３２は、係合部３１よりも外側に張り出している。頭部３２は、係合部３１が第１貫通孔２１内に挿入されたときに第２貫通孔２２（複数の貫通孔部２２）および複数の貫通孔部２２の間に位置する部分と重なるように設けられている。
【００３１】
固定部材３は、係合部３１の上記先端部から頭部３２まで貫通孔３３が形成されている。リモコン装置１００において、貫通孔３３は本体部１の被係合部１１内に形成されている貫通孔１４と連なるように配置されている。貫通孔３３の孔径は、上記配線の線径以上である。
【００３２】
係合部３１の平面形状（外形）は、任意の形状であればよいが、たとえば円形状である。頭部３２の平面形状（外形）は、任意の形状であればよいが、たとえば六角形状である。貫通孔３３の平面形状は、任意の形状であればよいが、たとえば円形状である。
【００３３】
上述のように、台座２において第１貫通孔２１と第２貫通孔２２との間に位置する部分は、本体部１の凸部１２と接触している。また、本体部１において被係合部１１よりも外側に位置する部分は、台座２のリブ部２３と接触している。
【００３４】
そのため、図７に示されるように、本体部１と台座２との間には、凸部１２を内周端としリブ部２３を外周端とする空間Ｓ１が形成されている。空間Ｓ１は、第１貫通孔２１の全周を取り囲むようにリング状に形成されている。空間Ｓ１は、第２貫通孔２２の内部空間Ｓ２と接続されている。空間Ｓ１および第２貫通孔２２の内部空間Ｓ２は、シール材５により充填されている。異なる観点から言えば、本体部１と台座２とは、本体部１とリブ部２３との接触部分と凸部１２と台座２との接触部分との間において、シール材５を介して互いに接続されている。シール材５を構成する材料は、水密性を有する任意の材料であればよいが、たとえばシリコン系ガスケットである。これにより、本体部１と台座２との接続部分において、凸部１２と台座２との接触部分よりも内側に位置する領域と本体部１とリブ部２３との接触部分よりも外側に位置する領域との間では、水または水分を含む気体の流通がシール材５によって防止されている。
【００３５】
図６に示されるように、シール材５は、さらに第４の主面２Ｂ上の第２貫通孔２２と連なる領域において第１貫通孔２１の全周を取り囲むように塗り広げられている。シール材５は、第４の主面２Ｂ上において第２貫通孔２２（複数の貫通孔部２２）上および隣り合う貫通孔部２２間の台座２上に塗り広げられている。言い換えると、シール材５は、第１貫通孔２１の周方向（図９中の方向Ｒ）に沿って塗り広げられている。シール材５は、第４の主面２Ｂを平面視したときに、リング状に塗り広げられている。台座２と固定部材３（の頭部３２）とは、第１貫通孔２１の全周を取り囲むシール材５を介在して接続されている。これにより、台座２と固定部材３との接続部分においてシール材５を介在して接続されている部分の内側に位置する領域と外側に位置する領域との間では、水または水分を含む気体の流通がシール材５によって防止されている。シール材５は、第２貫通孔２２から第１貫通孔２１の径方向に所定の幅を有する領域内に塗り広げられていてもよい。なお、図７において、台座２と固定部材３との間に塗り広げられているシール材５は図示していない。
【００３６】
つまり、リモコン装置１００は、空間Ｓ１および内部空間Ｓ２に充填されたシール材５により、本体部１とリブ部２３との接触部分よりも外側に位置する領域と本体部１の被係合部１１および台座２の第１貫通孔２１内との間で水または水を含む気体のやり取りが防止されている。さらに、リモコン装置１００は、第１貫通孔２１の全周を取り囲むように塗り広げられており、台座２の第４の主面２Ｂと固定部材３の頭部３２との間を接続しているシール材５により、当該シール材５を介した台座２と固定部材３との接続部分よりも外側に位置する領域と第１貫通孔２１内との間で水または水を含む気体のやり取りが防止されている。
【００３７】
図１０を参照して、防水蓋４は、固定部材３の頭部３２よりも大きく、台座２の第４の主面２Ｂ上において固定部材３を覆うように取り付けられている。台座２の第４の主面２Ｂ上には、たとえば第４の主面２Ｂに対する高さの異なる２種類の柱状部材２４，２５が第４の主面２Ｂに垂直な方向に延びるように形成されている。柱状部材２４は、第４の主面２Ｂに対する高さが柱状部材２５と比べて上記防水蓋４の厚さ以上に低く形成されている。図４に示されるように、柱状部材２４は、防水蓋４が取り付けられる領域上に形成されており、第１貫通孔２１および第２貫通孔２２の全周を取り囲むように形成されている。柱状部材２４には、第４の主面２Ｂに対する高さが柱状部材２４と比べて上記配線の線径以上に低く形成されている配線取出し口２６が形成されている。柱状部材２５は、第４の主面２Ｂ上において柱状部材２４が形成されていない領域に形成されている。台座２の第４の主面２Ｂ上において柱状部材２４が形成されている領域の周囲には、防水蓋４を取り付けるための取付部材６と係合可能な取付穴２７が形成されている。
【００３８】
防水蓋４は、第４の主面２Ｂを平面視したときに、柱状部材２４が形成されている領域と重なるように形成されている。図５に示されるように、防水蓋４は、蓋ケース４ａと蓋ケース４ａに収容される防水パッキン４ｂとを含む。蓋ケース４ａには取付部材６を挿入可能な貫通孔が形成されている。当該貫通孔に挿入された取付部材６が取付穴２７と係合されることにより、防水蓋４は台座２の柱状部材２４上に固定される。第１貫通孔２１および第２貫通孔２２の全周を取り囲むように形成されている柱状部材２４は、防水蓋４の防水パッキン４ｂと接触している。防水パッキン４ｂは、たとえば発泡ゴムで構成されている板状パッキンである。防水パッキン４ｂの形状は、蓋ケース４ａよりも小さく、防水蓋４と略相似形である。柱状部材２４上に固定された防水蓋４は、第４の主面２Ｂに対する高さが柱状部材２５と同等以下である。よって防水蓋４は、リモコン装置１００を側面視したときに台座２よりも後方に突出していない。防水蓋４を構成する材料は、水密性を有する任意の材料であればよく、たとえば樹脂である。取付部材６および取付穴２７は、たとえばネジおよびネジ穴である。なお、図６〜図９において防水蓋４は図示していない。
【００３９】
本体部１および台座２には、リモコン装置１００を壁に取り付けるための取付穴１６，２８が形成されている。取付穴１６，２８に挿入されたビス（図示略）を壁面に打ち込むことにより、リモコン装置１００は壁に取り付けられる。なお、本体部１の第１の主面１Ａは、本体部１に含まれる上記基板を覆うとともに上記基板に対し着脱可能に設けられているケース１７の表面として構成されており、取付穴１６，２８は第１の主面１Ａ上には現れていない。
【００４０】
また、図２に示されるように、本体部１の第２の主面１Ｂ上には、本体部１の内部と外部とを接続する貫通孔（図示しない）が形成されており、当該貫通孔上に通気性防水シート１９が張り合わされているのが好ましい。通気性防水シート１９は、通気性および防水性を有しており、本体部１の内部と外部との調圧を行うことができる。
【００４１】
また、第２の主面１Ｂおよび第３の主面２Ａには、本体部１と台座２との位置決めを容易とするために、互いに向かって凸状および凹状に形成されている掛止部が形成されていてもよい。また、台座２において固定部材３の頭部３２と重なる領域よりも外側であって防水蓋４で覆われる領域内には、上記配線を挟持可能に設けられている部材が形成されていてもよい。
【００４２】
次に、リモコン装置１００の製造方法について説明する。リモコン装置１００の製造方法は、本体部１、台座２、固定部材３を準備する工程と、本体部１と台座２とを固定部材３により固定する工程とを備える。
【００４３】
はじめに、本体部１、台座２、固定部材３が準備される。本体部１は、上述のように、第１の主面１Ａ上に操作パネルを有し、第２の主面１Ｂ側に固定部材３の係合部３１と係合可能な被係合部１１が形成されている。台座２は、上述のように、係合部３１を挿入可能な第１貫通孔２１が形成されており、かつ、被係合部１１および第１貫通孔２１内に係合部３１が挿入されているときに第３の主面２Ａに垂直な方向において頭部３２と重なる位置に第２貫通孔２２が形成されている。固定部材３は、上述のように、係合部３１と係合部３１に接続されている頭部３２とを含む。
【００４４】
次に、本体部１と台座２とが固定部材３により固定される。具体的には、はじめに図２および図８を参照して、シール材５が本体部１の領域５０内に塗布される。領域５０は、本体部１上において本体部１と台座２とが固定されたときに台座２のリブ部２３と接触する部分と凸部１２との間に位置する領域である。シール材５は、当該領域５０上において部分的に塗布されていてもよいし、全体に渡って塗布されていてもよい。塗布されるシール材５の体積は、上記空間Ｓ１および第２貫通孔２２の内部空間Ｓ２の体積超えである。次に、図８および図９に示されるように、被係合部１１および第１貫通孔２１に係合部３１を挿入して第１貫通孔２１の外周に沿った方向（図９中の方向Ｒ）に固定部材３を回転し、本体部１と台座２とを固定部材３により固定する。これにより、凸部１２とリブ部２３に囲まれた空間Ｓ１が第２貫通孔２２の内部空間Ｓ２と連なるように形成されるとともに、本体部１の第２の主面１Ｂ上に塗布されたシール材５は当該空間Ｓ１およびこれと連なる第２貫通孔２２の内部空間Ｓ２内に充填される。さらに、シール材５は、第２貫通孔２２の内部空間Ｓ２から外部へ溢れ出る。このとき、固定部材３の頭部３２は、台座２との距離が狭められていくことにより第４の主面２Ｂ上に溢れ出たシール材５と接触し、かつ回転されることによりシール材５を第１貫通孔２１の外周に沿った方向に塗り広げる。これにより、図６に示されるように、シール材５は第１貫通孔２１の全周を取り囲むように塗り広げられ、かつ、台座２の第４の主面２Ｂと固定部材３の頭部３２との間は当該シール材５を介して接続される。なお、本工程は、本体部１に接続されている配線が台座２の第１貫通孔２１および固定部材３の貫通孔３３に通された状態で実施される。
【００４５】
さらに、貫通孔３３から引き出された上記配線が台座２上において所定の箇所を通るように引き回された後、防水蓋４が台座２の第４の主面２Ｂ側に取り付けられることにより、リモコン装置１００が製造される。
【００４６】
次に、リモコン装置１００の作用効果について説明する。リモコン装置１００は、被係合部１１を含む本体部１と、一端および他端を有し、一端側にて被係合部１１に係合している係合部３１と、他端側にて係合部３１と接続されており、係合部３１よりも外側に張り出している頭部３２とを含む固定部材３と、本体部１と固定部材３との間に挟まれており、係合部３１を通す第１貫通孔２１、および第１貫通孔２１の外側において頭部３２と重なる領域内に第２貫通孔２２が形成されている台座２と、第２貫通孔２２内に充填されており、かつ本体部１および頭部３２にそれぞれ接続されているシール材５とを備える。台座２と固定部材３とは、第１貫通孔２１の全周を取り囲むシール材５を介在して接続されている。
【００４７】
このようなリモコン装置１００は、本体部１と接続されておりかつ第２貫通孔２２内に充填されているシール材５により、本体部１と台座２との間で高い防水性能を有している。さらに、リモコン装置１００は、第１貫通孔２１の全周を取り囲むように塗り広げられており、台座２と固定部材３の頭部３２との間に介在してこれらを接続しているシール材５により、台座２と固定部材３との間で高い防水性能を有している。さらに、台座２には固定部材３の頭部３２と重なる領域内に第２貫通孔２２が形成されている。そのため、台座２と固定部材３との間を接続しているシール材５は、本体部１と台座２との間に塗布されたシール材５のうち、第２貫通孔２２から第４の主面２Ｂ上に溢れ出されたものが固定部材３によって第１貫通孔２１の全周を取り囲むように塗り広げられたものとすることができる。つまり、リモコン装置１００は、本体部１と台座２との間（たとえば第２の主面１Ｂ上）にのみシール材５を塗布することで、本体部１と台座２との間および台座２と固定部材３との間において高い防水性能を発現することができ、第４の主面上（台座と固定部材との間）にもシール材を塗布する必要があった従来のリモコン装置と比べて、容易に製造され得る。
【００４８】
また、従来のリモコン装置では、シール材の塗布箇所および塗布工程が多いため、シール材を塗布する作業者によるバラつきによってリモコン装置の防水性能にバラつきが生じ得るという問題があった。これに対し、本実施の形態に係るリモコン装置１００によれば、シール材５の塗布箇所を１箇所として塗布作業を１度とすることができるため、作業者による防水性能のバラつきを軽減することができる。
【００４９】
リモコン装置１００において、第２貫通孔２２は、第１貫通孔２１の外周に沿って互いに間隔を隔てて複数形成された貫通孔部２２を有しているのが好ましい。このようにすれば、台座２上において第２貫通孔２２から固定部材３の頭部３２と重なる領域内に溢れ出されたシール材５は、固定部材３が回転されることにより第１貫通孔２１の外周に沿った方向においてムラなく塗り広げられる。
【００５０】
好ましくは、台座２は、第２貫通孔２２を取り囲むように配置され、かつ、本体部１側に凸状に形成されているリブ部２３を含んでいる。このとき、リブ部２３は本体部１と接触しているのが好ましい。このようにすれば、リモコン装置１００の製造方法において本体部１上に塗布されたシール材５は、本体部１と接触しているリブ部２３により本体部１上に必要以上に塗り広げられることが防止される。その結果、シール材５は、本体部１と台座２との間から第２貫通孔２２内に供給されやすくなり、台座２上において第２貫通孔２２から固定部材３の頭部３２と重なる領域内により効率的にシール材５を溢れ出させることができる。
【００５１】
好ましくは、本体部１は、被係合部１１を取り囲むように台座２側に凸状に形成されている凸部１２を含んでいる。このとき、凸部１２は、台座２の第１貫通孔２１と第２貫通孔２２との間に位置する部分と接触しているのが好ましい。このようにすれば、本体部１上に塗布されたシール材５は、台座２と接触している凸部１２により、第１貫通孔２１内に供給されることが防止される。その結果、シール材５は、本体部１と台座２との間から第２貫通孔２２内に供給されやすくなり、台座２上において第２貫通孔２２から固定部材３の頭部３２と重なる領域内により効率的に溢れ出されることができる。
【００５２】
リモコン装置１００は、固定部材３が第１貫通孔２１の外周に沿った方向に回転されることにより、シール材５が第１貫通孔２１の全周を取り囲むように塗り広げられているのが好ましい。このようにすれば、固定部材３により本体部１と台座２とが固定されると同時に、シール材５が第１貫通孔２１の外周を囲むように塗り広げられる。その結果、リモコン装置１００は容易に製造され得る。
【００５３】
また、リモコン装置１００の製造方法は、本体部１と固定部材３と台座２とを準備する工程と、本体部１の被係合部１１の周囲にシール材５を塗布し、被係合部１１および第１貫通孔２１に係合部３１を挿入して第１貫通孔２１の外周に沿った方向に固定部材３を回転し、本体部１と台座２とを固定部材３により固定する工程とを備える。本体部１と台座２とを固定部材３により固定する工程において、シール材５は第２貫通孔２２内を通って台座２と固定部材３との間に供給される。
【００５４】
このようにすれば、本体部１の被係合部１１の周囲に塗布されたシール材５は、本体部１と台座２とが固定部材３により固定されることにより、本体部１と台座２との間に塗り広がるとともに、シール材５の一部は第２貫通孔２２内に充填され、かつ台座２上において第２貫通孔２２から固定部材３の頭部３２と重なる領域内に溢れ出される。このとき、第４の主面２Ｂ上に溢れ出たシール材５は、固定部材３が回転されることにより、第１貫通孔２１の外周に沿った方向に塗り広げられる。このようにして製造されるリモコン装置１００は、高い防水性能を有しているとともに、該防水性能は本体部１にのみに塗布されたシール材５により実現することができる。そのため、リモコン装置１００は、台座と固定部材との間を防水するためにこれらの間にもシール材を塗布する必要があった従来のリモコン装置と比べて、製造が容易である。また、シール材５の塗布する箇所を削減することができるため、シール材５を塗布する作業者に起因した防水性能のバラつきを軽減することができる。なお、上記リモコン装置１００の製造方法は、リモコン装置１００の製造ライン内でリモコン装置１００の製造方法として実施されてもよいし、リモコン装置１００が取り付けられる施工現場などでリモコン装置１００の組立方法として実施されてもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５６】
本発明は、壁面に配線を通す穴を設けることが困難な場所に設置され、高い防水性能が要求されるリモコン装置およびその製造方法に特に有利に適用される。
【符号の説明】
【００５７】
１  本体部、１Ａ  第１の主面、１Ｂ  第２の主面、１Ｃ  操作パネル、２  台座、２Ａ  第３の主面、２Ｂ  第４の主面、３  固定部材、４  防水蓋、４ａ  蓋ケース、４ｂ  防水パッキン、５  シール材、６  取付部材、１１  凹部、１２  凸部、１３  栓、１４，３３  貫通孔、１５  孔、１６，２７，２８  取付穴、１７  ケース、１８  基板、１９  通気防水シート、２１  第１貫通孔、２２  第２貫通孔、２３  リブ部、２４，２５  柱状部材、３１  軸部、３２  頭部、１００  リモコン装置。
【図１】
0006497187.tif 000002
【図２】
0006497187.tif 000003
【図３】
0006497187.tif 000004
【図４】
0006497187.tif 000005
【図５】
0006497187.tif 000006
【図６】
0006497187.tif 000007
【図７】
0006497187.tif 000008
【図８】
0006497187.tif 000009
【図９】
0006497187.tif 000010
【図１０】
0006497187.tif 000011